(57)【要約】【課題】    カメラの小型化、シャッタ速度や連写速度の向上に伴い、シャッタ羽根を作動させるモータの高トルク化、高応答性が図られている。それにより、モータと近接して配置されたカメラ本体側の撮像素子に、モータからの磁気ノイズが影響する問題がある。【解決手段】    カメラ本体側に取り付けられた撮像素子に近接して配置された、シャッタ羽根をチャージするチャージ機構のモータには、磁気シールド手段としての筒状部材を取り付けることにより、モータからの磁気ノイズの影響を防ぐことができる。【選択図】  図３
2016033630.tif 000002
【特許請求の範囲】
【請求項１】
被写体光路用の開口部を有する地板と、前記地板の一方の面に取り付けられていて前記開口部の開閉作動を行う少なくとも一つのシャッタ羽根と、前記開口部の一方の側方領域において前記地板の他方の面に取り付けられており前記シャッタ羽根に前記開口部の開閉作動を行わせる駆動機構及び前記シャッタ羽根を露光作動開始位置に作動させるチャージ機構と、カメラ本体側に取り付けられた撮像素子に近接して配置された前記チャージ機構を駆動するモータに取り付けられた磁気シールド手段と、を有していることを特徴とするカメラ用フォーカルプレーンシャッタ。
【請求項２】
前記磁気シールド手段が、前記モータを覆う筒状部材であることを特徴とする請求項１に記載のカメラ用フォーカルプレンシャッタ。
【請求項３】
前記筒状部材には、長手方向にスリットが形成されていることを特徴とする請求項２に記載のカメラ用フォーカルプレンシャッタ。
【請求項４】
前記請求項１乃至３に記載のカメラ用フォーカルプレンシャッタを備えたカメラ。
【発明の詳細な説明】
【技術分野】
【０００１】
本発明は、カメラ用フォーカルプレンシャッタ、及びそれを供えたカメラに関する。
【背景技術】
【０００２】
近年のカメラにおいては、小型化の要求が強くなっているため、フォーカルプレンシャッタを含めたカメラ内部の各ユニットの小型化に加えて、カメラ内部のレイアウトの高密度化が図られている。そのため、フォーカルプレーンシャッタでは、シャッタ羽根を露光作動開始位置に作動させるためのモータがシャッタ地板と一体に設けられている。その一例として、比較的大きくて細長いモータを出来るだけ被写体光路用の開口部に近づけ、回転軸の長さ方向をシャッタ羽根の作動方向に合わせて配置することにより、フォーカルプレーンシャッタを小型化にする構成が以下の特許文献に示されている。
【先行技術文献】
【特許文献】
【０００３】
【特許文献１】特開２００３−３４４８９８
【発明の概要】
【発明が解決しようとする課題】
【０００４】
しかしながら、近年のカメラは、小型化に加えて、シャッタ速度や連写速度の向上がより一層要求され、それに対応するモータは、高トルク化や応答性向上のため、磁力の強い永久磁石を使用する必要があり、さらにモータ内のコイルへの通電量も増加している。特許文献１に記載のカメラ用フォーカルプレンシャッタにおいては、フォーカルプレンシャッタを小型化にするため、シャッタ羽根を露光作動開始位置に作動させるためのモータが、撮像素子に近くなるように配置されている。そのため、モータが、撮像素子の近くに配置されることにより、撮像素子の画像生成に対してモータの磁気ノイズの影響を受け易いという問題があった。
【０００５】
本発明は、上記事情に対処することを課題の一例とするものである。すなわち、モータによりシャッタ羽根を作動させるフォーカルプレンシャッタにおいて、構造の簡略化、低コスト化を図りつつ、カメラ本体側に配置される撮像素子とモータとを近接して配置させても、撮像素子が、モータから発生する磁気ノイズの影響を受けることを防止できるカメラ用フォーカルプレンシャッタ及びそれを備えたカメラを提供することを目的とする。
【課題を解決するための手段】
【０００６】
上記の目的を達成するために、本発明のカメラ用フォーカルプレンシャッタは、被写体光路用の開口部を有する地板と、地板の一方の面に取り付けられていて開口部の開閉作動を行う少なくとも一つのシャッタ羽根と、開口部の一方の側方領域において地板の他方の面に取り付けられておりシャッタ羽根に前記開口部の開閉作動を行わせる駆動機構及びシャッタ羽根を露光作動開始位置に作動させるチャージ機構と、カメラ本体側に取り付けられた撮像素子に近接して配置されたチャージ機構を駆動するモータに取り付けられた磁気シールド手段とを有していることを特徴とする。
【０００７】
また、本発明のカメラ用フォーカルプレンシャッタは、磁気シールド手段が、モータを覆う筒状部材であることが好ましい。
【０００８】
また、本発明のカメラ用フォーカルプレンシャッタは、筒状部材には、長手方向にスリットが形成されていることが好ましい。
【０００９】
さらに、本発明のカメラは、上記発明のカメラ用フォーカルプレンシャッタを備えているようにすると好ましい。
【発明の効果】
【００１０】
本発明のカメラ用フォーカルプレンシャッタ、及びそれを備えたカメラによれば、モータによりシャッタ羽根を作動させるフォーカルプレンシャッタにおいて、構造の簡略化、低コスト化を図りつつ、カメラ本体側に配置される撮像素子とモータとを近接して配置させても、撮像素子が、モータから発生する磁気ノイズの影響を受けることを防止することができる。
【図面の簡単な説明】
【００１１】
【図１】第一実施例に係るフォーカルプレーンシャッタの平面図。
【図２】第一実施例に係る図１の側面図。
【図３】第一実施例に係る磁気シールド手段を示した斜視図。
【図４】第二実施例に係る磁気シールド手段を示した斜視図。
【図５】第二実施例の変形例を示した斜視図。
【図６】第二実施例の変形例を示した斜視図。
【発明を実施するための最良の形態】
【００１２】
本発明の好適な実施の形態を、図面を参照しつつ説明する。先ず、第一実施例について、図１、図２、図３を用いて説明するが、その説明に際しては、地板側を表面側と称し、補助地板側を背面側と称することにする。地板１には、その略中央部に被写体光路用の開口部１ａが形成されている。この地板１と所定の間隔を空けて開口部２ａが形成された補助地板２が配置されていて、両者の間に羽根室を形成している。羽根室内には、先羽根用シャッタ羽根と後羽根用シャッタ羽根との二組のシャッタ羽根が配置されている。しかし、本実施例では、それらシャッタ羽根の構成は周知であるため、図１においては開口部１ａを閉鎖している先羽根用シャッタ羽根５の一部を示している。
【００１３】
そしてそれらのシャッタ羽根を作動させる機構は、詳しい図示を省略しているが、開口部１ａの左側の領域に駆動機構４が設けられている。この駆動機構は、実用化されている周知のものと同じでよいことから、各図においては直方体のブロックとして示してあるが、例えば、特開２００１−２８１７２７号公報に記載されている構成と同じであっても構わない。即ち、駆動機構４の構成部材としては、先羽根用シャッタ羽根と後羽根用シャッタ羽根に各々連結された二つの駆動部材、それらの二つの駆動部材の作動開始を各々制御するための二つの電磁石、それらの二つの駆動部材を各々作動させるための二つの駆動ばね、それら二つの駆動部材を駆動ばねの付勢力に抗して露光作動開始位置である二つの電磁石に吸着される位置まで作動させるセット部材、それらの二つの駆動ばねの付勢力を各々調整可能にするための二つのラチェット車等が含まれる。さらに、地板１の表面側には、地板１と所定の間隔を空けて、各々二つの駆動部材、電磁石、ラチェット車を地板１との間で支持する支持板や、電磁石に通電するためのプリント配線板などが配置されている。
【００１４】
また、地板１には、各シャッタ羽根を露光作動開始位置に作動させるためのチャージ機構５やチャージ機構５の駆動源となるＤＣモータであるモータ６が配置されている。このチャージ機構５は、上記の駆動機構４と同様に実用化されている周知のものと同じでよいことから、各図においては直方体のブロックとして示してあるが、例えば、特開２００２−１６２６６９号公報に記載されている構成と同じであっても構わない。即ち、チャージ機構の主な構成部材としては、モータ６の出力軸６ｂの駆動力を伝達する歯車やレバーやカム等が含まれる。そして上記のチャージ機構の駆動源となるＤＣモータのモータ６は、適宜な手段により地板１の表面側にとりつけられていて、回転子と一体になった出力軸６ｂがチャージ機構に連結されている。
【００１５】
また、地板１には、モータ６と近接するようにして、カメラ本体側に取り付けられた撮像素子８が配置されている。この撮像素子は、第一実施例においては、撮像面を地板１側にして配置されているが、撮像面を地板１とは反対側に向けるように配置しても差し支えない。
【００１６】
次に作動について説明する。本実施例のフォーカルプレンシャッタは、実用化されている周知のフォーカルプレーンシャッタと同様で、図１に一部が示された先羽根用シャッタ羽根３と図示を省略した後羽根用シャッタ羽根の二組のシャッタ羽根を有していて、先羽根用シャッタ羽根３により開口部１ａが覆われた図１の露光動作開始前の状態からカメラ側のレリーズボタンが押されると、先羽根用シャッタ羽根３が先羽根用駆動部材により図面下方に向けて作動させられる。これにより、開口部１ａを覆っている先羽根用シャッタ羽根３は開口部１ａを開放してゆき、その所定時間後に図示を省略した後羽根用シャッタ羽根が、後羽根用駆動部材により開口部１ａを覆うように作動する。これにより撮影が終了する。
【００１７】
次にモータ６に通電されて回転しチャージ機構４を作動させ、駆動機構内のセット部材が駆動ばねの付勢力に抗して二つの駆動部材を露光作動開始前の状態に復帰させる。このような作動は、シャッタ速度の高速化や、連写速度の高速化によりモータ６の高トルク化や高応答性が要求されるため、モータ６からの磁気ノイズが多くなり、近接して配置された撮像素子８に影響を与えることになる。
【００１８】
しかし、本実施例においては、モータ６と撮像素子８は地板１の同じ側に近接して配置されているが、モータ６は、磁性体の金属鋼板を用いて作成された磁気シールド手段である筒状部材７に覆われるため、モータ６による磁気ノイズの影響を撮像素子８に与えないようにできる。つまり、モータ６と撮像素子８が近接している場合、図３（ａ）に示すようにモータ６の本体ケース６ａに筒状部材７を挿入して、図３（ｂ）に示すように筒状部材７をモータ６に取り付けることで、モータ６に近接して配置された撮像素子８に対して磁気ノイズの影響を防止することができる。
【００１９】
次に第二実施例とその変形例について、図４、図５、図６を用いて説明する。先ず、第二実施例は、第一実施例と基本構成は同じだが、以下に相違する点を述べる。第一実施例ではモータ６に磁気シールド手段として筒状部材７で覆うようにしたが、本実施例の磁気シールド手段は、スリット９ａを設けた筒状部材９が円柱状をしたモータ８の本体ケース８ａを覆うようにしたものである。
【００２０】
この筒状部材９は、図４（ａ）に示すように、スリット９ａを有していて、円柱状のモータ８の本体ケース８ａの外径より小さな内径を有している。そして、図４（ｂ）に示すように筒状部材９のバネ性を利用して、モータ８の本体ケース８ａに取り付けて固定することができる。それにより、モータ８に筒状部材９の取り付けが容易、且つ確実にできる。
【００２１】
次に、第二実施例の変形例として図５及び図６に示すように、本体ケースの断面形状が、小判形のモータ１０と立方体形のモータ１２においても、本体ケース１０ａ、１２ａに、各々、スリット１１ａ、１３ａを設けた筒状部材１１，１３を容易、且つ確実に取り付けることができる。
【００２２】
尚、上記の各実施例においては、先羽根用シャッタ羽根と後羽根用シャッタ羽根とを備えているようにしたが、本発明は、少なくとも一つのシャッタ羽根により構成するようにしても差し支えない。
【産業上の利用可能性】
【００２３】
以上、述べたように、本発明のカメラ用フォーカルプレンシャッタは、チャージ機構を駆動するモータを撮像素子に近接して配置しても、撮像素子に磁気ノイズの影響を与えないようにできるため、一眼カメラ、ミラーレスカメラ等のカメラに適用できる。
【符号の説明】
【００２４】
１                      地板
２                      補助地板
３                      先羽根用シャッタ羽根
４                      駆動機構
５                      チャージ機構
６，８，１０，１２      モータ
７，９，１１，１３      筒状部材（磁気シールド手段）
９ａ，１１ａ，１３ａ    スリット
【図１】
2016033630.tif 000003
【図２】
2016033630.tif 000004
【図３】
2016033630.tif 000005
【図４】
2016033630.tif 000006
【図５】
2016033630.tif 000007
【図６】
2016033630.tif 000008